(57)【要約】      （修正有）【課題】簡単な方法で取り付けることができ、かつ、安価に提供可能なる鍵盤錘、及び、この鍵盤錘により静荷重が調整された鍵盤楽器の鍵を提供する。【解決手段】鍵盤用錘１は、錘本体部２と、該錘本体部を錘取付空間内に差し込む差込方向を軸とする軸周りの側面の一部又は全部に設けられ、差込方向に沿って並べられた複数のヒダ３０からなるヒダ部３と、を備え、錘本体部及びヒダ部は、弾性材料で形成されている。この鍵盤用錘は、鍵の錘取付空間に差し込むと、ヒダ部が錘本体部と錘取付空間を形成する壁部との間に挟まれて弾性変形して突っ張るので、錘取付空間に差し込むだけで、各鍵に取り付けることができる。【選択図】図１
2015114597.tif 000002
【特許請求の範囲】
【請求項１】
鍵盤楽器の鍵(５)に設けられた錘取付空間(６)に差し込まれ、該錘取付空間内に固定される鍵盤用錘(１)であって、
錘本体部(２)と、
該錘本体部を前記錘取付空間内に差し込む差込方向を軸とする軸周りの側面の一部又は全部に設けられ、前記差込方向に沿って並べられた複数のヒダ(３０)からなるヒダ部(３)と、
を備え、
前記錘本体部及び前記ヒダ部は、弾性材料で形成されていることを特徴とする鍵盤用錘。
【請求項２】
請求項１に記載の鍵盤用錘であって、
各前記ヒダは、前記差込方向に対して垂直な線状に形成されている
ことを特徴とする鍵盤用錘。
【請求項３】
請求項１〜２のいずれか１項に記載の鍵盤用錘であって、
前記鍵に取り付けたときに、前記鍵の静荷重が鍵先端から２３mmの位置で４５ｇ〜８０ｇとなる重さであることを特徴とする鍵盤用錘。
【発明の詳細な説明】
【技術分野】
【０００１】
本発明は、鍵盤用錘及び鍵盤楽器の鍵に関する
【背景技術】
【０００２】
電子ピアノなどでは、鍵を押下するときのタッチ感（弱打は軽く、強打で重いピアノらしいタッチ感）をグランドピアノのタッチ感に近づけるため、鍵に金属製の鍵盤用錘を取り付けている。
【０００３】
この取付に際しては、鍵の通常の配置状態において下面に向かって開口する取付空間を鍵に形成し、この開口から取付空間内に金属製の鍵盤用錘を差し入れ、取付空間内で鍵盤用錘を接着していた。あるいは、いわゆるインサート成形等により、金属製の鍵盤用錘を鍵の内部に埋め込んでいた。
【発明の概要】
【発明が解決しようとする課題】
【０００４】
しかし、鍵に錘を接着する方法では一鍵ずつ接着剤を塗布した上で錘を入れ更に接着剤が硬化するまで待たなければならないため非常に手間がかかってしまう。また、インサート成形では専用の金型が必要であり、特に複数種類の錘が必要な場合に錘の種類に応じた複数の金型を用意しなければならず、コスト高となってしまう。これには非常なコストを要した。
【０００５】
本発明は、簡単な方法で取り付けることができ、かつ、安価に提供可能なる鍵盤錘、及び、この鍵盤錘により静荷重が調整された鍵盤楽器の鍵を提供することを目的とする。
【課題を解決するための手段】
【０００６】
上記目的を達成するため、請求項１に記載の発明に係る鍵盤用錘は、鍵盤楽器の鍵(５)に設けられた錘取付空間(６)に差し込まれ、該錘取付空間内に固定される鍵盤用錘(１)であって、錘本体部(２)と、該錘本体部を前記錘取付空間内に差し込む差込方向を軸とする軸周りの側面の一部又は全部に設けられ、前記差込方向に沿って並べられた複数のヒダ(３０)からなるヒダ部(３)と、を備え、前記錘本体部及び前記ヒダ部は、弾性材料で形成されていることを特徴とする。
【０００７】
本発明の鍵盤用錘は、鍵の錘取付空間に差し込むと、ヒダ部が錘本体部と錘取付空間を形成する壁部との間に挟まれて弾性変形して突っ張るので、錘取付空間に差し込むだけで、各鍵に取り付けることができる。
【０００８】
そのため、本発明の鍵盤用錘を用いると、金属製の鍵盤用錘を鍵に取り付けるときのように接着をしたり、インサート成形等のように鍵の内部に閉じこめるなどすることなく、極めて簡単に鍵に取り付けることができる。
【０００９】
尚、弾性材料は、ゴム、エラストマーなど弾性を有する樹脂を用いるとよいが、これに限られるものではない。重量を増すために金属粉などをまぜてもよい。
次に、請求項２に記載した鍵盤用錘は、各前記ヒダは、前記差込方向に対して垂直な線状に形成されている。
【００１０】
このようにすると、錘本体部にヒダ部を備えた鍵盤用錘を、押し出し成形あるいはコンプレッション成形により簡単に製造することができる。
次に、請求項３に記載したように鍵盤用錘は、前記鍵に取り付けたときに、前記鍵の静荷重が鍵先端から２３ｍｍの位置で４５ｇ〜８０ｇとなる重さであることが好ましい。より好ましくは、静荷重が５０ｇ〜７０ｇ、さらに好ましくは５３〜５７ｇであることが好ましい。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本実施形態の鍵盤用錘の斜視図である。
【図２】本実施形態の鍵盤用錘が取り付けられる電子ピアノの鍵の正面図であり、内部の構造を透過図で示している。
【図３】本実施形態の鍵盤用錘を鍵に取り付けた様子を示す模式図で、鍵については図２のＡ−Ａ’断面を示している。
【発明を実施するための形態】
【００１３】
以下に本発明の実施形態を図面と共に説明する。
本実施形態の鍵盤用錘１は鉄粉を混ぜたゴムからなり、図１に示すように、錘本体部２とヒダ部３とを有している。
【００１４】
錘本体部２は、直方体状に形成されている。
ヒダ部３は、錘本体部２の後述する錘取付空間への差込方向（図１中の矢印イの方向）に垂直な一対の面の周囲に位置する側面のうち、錘本体部２を挟んだ一対の側面上で、各側面に沿って設けられている。
【００１５】
このヒダ部３は、差込方向に沿って並べられた複数のヒダ３０からなり、各ヒダ３０は差込方向イに対して垂直な線状に形成されている。またこのヒダ部３は、差込方向イに対して垂直な方向であって、各ヒダ３０の長手方向に沿った方向（図１中の矢印ロの方向）に鍵盤用錘１を見た場合、鋸の刃状に形成されている。各ヒダ３０の形状は、略直角三角形状であり、具体的には、矢印ロの方向にヒダ３０を見たとき、各ヒダ３０の上方側が、水平方向に対して傾斜し、錘本体部２に取り付く根本側から先端側に向かって斜め下方に下がり、各ヒダ３０の下方側が、錘本体部２に対して垂直な形状をしている。
【００１６】
また、本実施形態の鍵盤用錘１を構成する錘本体部２の上面には、両面テープ４が貼り付けられている。
次に、上述した鍵盤用錘１が取り付けられる電子ピアノの鍵について説明する。
【００１７】
この鍵５には、図２に示すように、上述した鍵盤用錘１を取り付ける錘取付空間６が形成されている。
この鍵５の重心は、その長手方向の中央部分に位置し、錘取付空間６は、この重心よりも演奏者側に設けられている。
【００１８】
この錘取付空間６は、鍵５の電子ピアノへの通常の取付状態において、下方に開口した箱状の空間である。
この鍵に上述した鍵盤用錘１を取り付ける場合、鍵盤用錘１は、鍵の静荷重が適用される音の段階に応じて鍵先端から２３ｍｍの位置で４５ｇ〜８０ｇとなる適当な大きさに切断される。
【００１９】
この鍵盤用錘１は、押出成形によって製造されるが、押出成形時に適当な大きさに切断してもよいし、各鍵５に取り付ける直前に切断してもよい。
そして、鍵盤用錘１は、上方に向かって押し上げられて鍵５の錘取付空間６に差し込まれる。
【００２０】
鍵盤用錘１は、このように錘取付空間６に差し込まれると、ヒダ部３が、錘本体部２と錘取付空間を形成する壁部との間に挟まれて、図３に示すように、弾性変形して突っ張るので、錘取付空間６に差し込むだけで固定される。
【００２１】
また、本実施形態では、鍵盤用錘１は、補助的に両面テープ４を備えているので、錘取付空間６に挿入すると、この両面テープ４によっても錘取付空間６内に固定される。
本実施形態の鍵盤用錘１は、全体が弾性材料であるゴムで形成されていて切断することができるので、どのような種類の電子ピアノの鍵５に対しても、各鍵５に対応した重さに形成することができる。
【００２２】
本実施形態の鍵盤用錘１を用いると、金属製の鍵盤用錘を鍵に取り付けるときのように接着をしたり、インサート成形のように鍵の内部に閉じこめるなどすることなく、極めて簡単に鍵５に取り付けることができる。
【００２３】
また、本実施形態の鍵盤用錘１は、ヒダ部３を構成する各ヒダ３０が差込方向に対して垂直な線状に形成されていて、押出成形が可能な形状に形成されているので、押出成形により簡単に製造することができる。
【００２４】
また、本実施形態の鍵盤用錘１は、鍵５の重心よりも演奏者側に取り付けることにより、効率よく鍵の回動方向の慣性を増加させることができるため、少量の錘でも十分な効果を得ることができる。
［他の実施形態］
以上、実施形態について説明したが、特許請求の範囲に記載された発明は、上記実施形態に限定されることなく、種々の形態を採り得ることは言うまでもない。
【００２５】
（１）上記実施形態で説明した鍵盤用錘１はあくまでも一例であり、これに限定されるものではない。
（２）上記実施形態では、鍵盤用錘１を構成する材料としてゴムを例示したが、これに限定されるものではなく、例えば熱可塑性エラストマーなどの軟質樹脂を用いてもよいし、弾性材料であればどのようなものを用いてもよい。また、上記実施形態ではゴム中に金属粉を混入したが金属粉に限られるものではなく、混入を一切しなくてもよい。
【００２６】
（３）上記実施形態では、錘本体部２の錘取付空間６への差込方向に垂直な一対の面の周囲に位置する側面のうち、錘本体部２を挟んだ一対の側面にヒダ部３を設けたが、他の一対の側面にもヒダ部３を設けてもよい。
【００２７】
（４）上記実施形態では、錘本体部２が直方体形状であるがこれに限るものではない。例えば円柱状である場合、ヒダ部３は、錘本体部２を錘取付空間６内に差し込む差込方向を軸とする軸周りの側面の一部又は全部に設けてもよい。差込方向の回りに等間隔に３箇所設けてもよい。
【００２８】
（５）上記実施形態では、鍵盤用錘１は、鍵５に取り付けたときに、鍵５の静荷重が４５ｇ〜８０ｇとなる重さとなるよう構成したが、静荷重が５０ｇ〜７０ｇ、さらに５３〜５７ｇとしてもよい。
【００２９】
（６）上記実施形態では、鍵盤楽器として電子ピアノを例に挙げたが、これに限られるものではない。耐えば電子オルガン、シンセサイザーなどでもよい。
【符号の説明】
【００３０】
１… 鍵盤用錘  ２… 錘本体部  ３… ヒダ部  ４… 両面テープ  ５… 鍵
６… 錘取付空間  ３０… ヒダ
【図１】
2015114597.tif 000003
【図２】
2015114597.tif 000004
【図３】
2015114597.tif 000005